(57)【特許請求の範囲】
【請求項１】
ＩＥＥＥ１３９４に準拠した通信インターフェースを備えた複数の電子機器を光ファイバーケーブル又はＵＴＰケーブル又はＳＴＰケーブルの少なくとも一つで接続し、該電子機器の間で通信を行い、
所定の一種類以上のスピード制御シンボルをデータストリームを利用して送信することによって、データレートの伝達を行い、
上記データレートの種類は上記スピード制御シンボルが上記データストリーム内に送信される回数によって伝達される
ことを特徴とするデータ通信方法。
【請求項２】
ＩＥＥＥ１３９４シリアルバス上で定義されている複数のデータレートに対応するため、低速のデータレートでは、伝送されるデータパケット内のデータ転送には使用されないビットをデータストリーム上に配置することを特徴とする請求項１記載のデータ通信方法。
【請求項３】
所定の制御シンボルの送信によって上記データ通信の方式にて規定されたケーブルに流すバイアス信号と同等の作用を実現する請求項１記載のデータ通信方法。
【請求項４】
ＵＴＰケーブル又はＳＴＰケーブルにおける不要輻射を軽減するため、信号変化の激しい制御シンボルの代わりに信号変化の少ない制御シンボルを使用する請求項１記載のデータ通信方法。
【請求項５】
ＩＥＥＥ１３９４で規定されたケーブルを接続できる端子と、光ファイバーケーブル又はＵＴＰケーブル又はＳＴＰケーブルの少なくとも一つを接続できる端子とを備え、
上記光ファイバーケーブル又はＵＴＰケーブル又はＳＴＰケーブルの少なくとも一つで他の電子機器に接続され、上記他の電子機との間で通信経路を設定し、
所定の一種類以上のスピード制御シンボルをデータストリームを利用して送信することによって、データレートの伝達を行い、
上記データレートの種類は上記スピード制御シンボルが上記データストリーム内に送信される回数によって伝達される
ことを特徴とする電子機器。
【請求項６】
伝送レートが可変であるデータ通信に対応したインターフェースを利用して複数の電子機器間でデータ通信を行う際、上記データ通信の方式にて規定されたケーブルを利用するようになすデータ通信方法であって、
上記データ通信の方式とは異なる汎用のケーブルを使用してデータ通信を行うための通信経路を用いる際は、最高のデータレートに対応したビット数の配列を用いて通信を行うようになし、該汎用のケーブルを利用して低速のデータレートにて上記データ通信を行う際は、伝送されるデータパケット内のデータ転送には使用されないビット領域がデータストリーム上に配置されるようになすことで複数の上記伝送データレートに対応するようにし、
上記データレートの種類は上記スピード制御シンボルが上記データストリーム内に送信される回数によって伝達される
ことを特徴とするデータ通信方法。
【請求項７】
上記インターフェースはＩＥＥＥ１３９４に準拠した通信インターフェースであり、上記汎用のケーブルは光ファイバーケーブル、ＵＴＰケーブル、ＳＴＰケーブルのいずれかである請求項６記載のデータ通信方法。
【請求項８】
所定の一種類以上のスピード制御シンボルを上記データストリームを利用して送信することによって、上記データレートの伝達を行う請求項６記載のデータ通信方法。
【請求項９】
所定の制御シンボルの送信によって、上記データ通信の方式によって規定されたケーブルに流すバイアス信号と同等の作用を実現する請求項６に記載のデータ通信方法。
【請求項１０】
上記所定の制御シンボルが信号変化の激しい場合には、必要に応じて信号変化の少ない制御シンボルを使用して不要輻射を軽減する請求項９記載のデータ通信方法。
【請求項１１】
伝送レートが可変であるデータ通信に対応したインターフェースに準拠した物理層集積回路であって、上記データ通信の方式にて規定されたケーブルを接続する端子と、上記データ通信の方式とは異なる汎用のケーブルを接続する端子とを備え、
上記データ通信の方式にて規定されたケーブル、又は上記データ通信の方式とは異なる汎用のケーブルを用いて他の電子機器に接続されて通信経路を設定し、
上記データ通信の方式とは異なる汎用のケーブルを使用してデータ通信を行うための通信経路を用いる際は、最高のデータレートに対応したビット数の配列を用いて通信を行うようになし、該汎用のケーブルを利用して低速のデータレートにて上記データ通信を行う際は、伝送されるデータパケット内のデータ転送には使用されないビット領域がデータストリーム上に配置されるようになすことで複数の上記伝送データレートに対応するようにし、
上記データレートの種類は上記スピード制御シンボルが上記データストリーム内に送信される回数によって伝達される
ことを特徴とする物理層集積回路。
【発明の詳細な説明】
【０００１】
【発明の属する技術分野】
本発明は、例えばＩＥＥＥ１３９４に準拠した通信インターフェースのような伝送レートが可変であり、かつ使用するケーブルが規定されている通信インターフェースに関し、詳細には、光ファイバーケーブル及びＵＴＰ（Ｕｎｓｈｉｅｌｄｅｄ  Ｔｗｉｓｔｅｄ  Ｐａｉｒ）ケーブル及びＳＴＰ（ＳｈｉｅｌｄｅｄＴｗｉｓｔｅｄ  Ｐａｉｒ）ケーブル等の汎用ケーブルを使用してデータ通信を行えるようにする技術に関する。
【０００２】
【従来の技術】
デジタルビデオテープレコーダ、デジタルテレビジョン受信機、パーソナルコンピュータ等の電子機器をＩＥＥＥ１３９４（以下１３９４と略す）シリアルバスで接続し、これらの電子機器間で、デジタルビデオ信号、デジタルオーディオ信号、制御信号等を通信するシステムが考えられている。
【０００３】
この通信システムで各機器間を接続するケーブルの内部には、二対のツイストペアケーブルが設けられている。そして、一対をデータの伝送に使用し、他の一対をストローブの伝送に使用する。データはＤＳ（Ｄａｔａ  Ｓｔｒｏｂｅ）コーディング方式により符号化して伝送される。
【０００４】
また、一対のツイストペアケーブルにはＴｐバイアス信号が出力される。１３９４ケーブルで接続された他の機器によりこのＴｐバイアス信号が検出されると、バイアス信号を検出した機器は自分が他の機器と接続されたことを知り、バスをリセットする。バスがリセットされると、各機器の物理アドレスの割り付けが自動的に行われる。そして、デジタルビデオ信号等を伝送する場合には、そのために必要な帯域とチャンネルの獲得等が行われた後、信号の伝送が開始される。
さらに、他の一対のツイストペアケーブルには、他の機器に対して自分の伝送レートを通知するための信号が伝送される。ツイストペアケーブルで直接接続された機器は、互いに相手の機器の伝送レートを知ることができる。
【０００５】
【発明が解決しようとする課題】
このように、従来は１３９４シリアルバスを介した通信（以下１３９４通信という）を実現するには、１３９４によって規定されたケーブル（以下１３９４ケーブルという）が必要であった。
【０００６】
本発明は、このような問題点に鑑みてなされたものであって、例えば１３９４通信インターフェースのような伝送レートが可変であり、かつ使用するケーブルが規定されている通信インターフェースを汎用ケーブルを利用できるようにすることにより、例えば１３９４通信インターフェースの汎用性を拡大させることを目的とする。
【０００７】
【課題を解決するための手段】
本発明に係るデータ通信方法は、１３９４に準拠した通信インターフェースを備えた複数の電子機器を光ファイバーケーブル又はＵＴＰケーブル又はＳＴＰケーブルの少なくとも一つで接続し、これらの電子機器の間で１３９４通信を行い、所定の一種類以上のスピード制御シンボルをデータストリームを利用して送信することによって、データレートの伝達を行い、上記データレートの種類は上記スピード制御シンボルが上記データストリーム内に送信される回数によって伝達されることを特徴とする。
【０００８】
１３９４通信では、Ｓ１００，Ｓ２００，Ｓ４００，Ｓ８００，Ｓ１６００，Ｓ３２００のデータレート及び将来的にはそれ以上のスピードでの通信が可能である。光ファイバーケーブル及びＵＴＰケーブル及びＳＴＰケーブルで１３９４通信を行うときには、複数のデータレートに対応するため、低速のデータレートでは、伝送されるデータパケット内のデータ転送には使用されないビットをデータストリーム上に配置する。
【０００９】
また、通常の１３９４通信では同相信号によって実現しているデータ伝送レートの伝達は、光ファイバーケーブル及びＵＴＰケーブル及びＳＴＰケーブルを用いたときには、所定のスピード制御シンボルをデータストリームを利用して送信することで実現する。
【００１０】
そして、１３９４通信におけるＴｐバイアス信号については、所定の制御シンボルの送信によって同等の作用を実現する。
【００１１】
本発明に係る電子機器は、１３９４ケーブルを接続できる端子と、光ファイバーケーブル又はＵＴＰケーブル又はＳＴＰケーブルの少なくとも一つを接続できる端子とを備え、上記光ファイバーケーブル又はＵＴＰケーブル又はＳＴＰケーブルの少なくとも一つで他の電子機器に接続され、上記他の電子機との間で通信経路を設定し、所定の一種類以上のスピード制御シンボルをデータストリームを利用して送信することによって、データレートの伝達を行い、上記データレートの種類は上記スピード制御シンボルが上記データストリーム内に送信される回数によって伝達されることを特徴とする。
【００１２】
また、本発明に係るデータ通信方法は、伝送レートが可変であるデータ通信に対応したインターフェースを利用して複数の電子機器間でデータ通信を行う際、上記データ通信の方式にて規定されたケーブルを利用するようになすデータ通信方法であって、上記データ通信の方式とは異なる汎用のケーブルを使用してデータ通信を行うための通信経路を用いる際は、最高のデータレートに対応したビット数の配列を用いて通信を行うようになし、該汎用のケーブルを利用して低速のデータレートにて上記データ通信を行う際は、伝送されるデータパケット内のデータ転送には使用されないビット領域がデータストリーム上に配置されるようになすことで複数の上記伝送データレートに対応するようにし、上記データレートの種類は上記スピード制御シンボルが上記データストリーム内に送信される回数によって伝達されることを特徴とする。
【００１３】
そして、本発明に係る物理層集積回路は、伝送レートが可変であるデータ通信に対応したインターフェースに準拠した物理層集積回路であって、上記データ通信の方式にて規定されたケーブルを接続する端子と、上記データ通信の方式とは異なる汎用のケーブルを接続する端子とを備え、上記データ通信の方式にて規定されたケーブル、又は上記データ通信の方式とは異なる汎用のケーブルを用いて他の電子機器に接続されて通信経路を設定し、上記データ通信の方式とは異なる汎用のケーブルを使用してデータ通信を行うための通信経路を用いる際は、最高のデータレートに対応したビット数の配列を用いて通信を行うようになし、該汎用のケーブルを利用して低速のデータレートにて上記データ通信を行う際は、伝送されるデータパケット内のデータ転送には使用されないビット領域がデータストリーム上に配置されるようになすことで複数の上記伝送データレートに対応するようにし、上記データレートの種類は上記スピード制御シンボルが上記データストリーム内に送信される回数によって伝達されることを特徴とする。
本発明に係る電子機器は、１３９４ケーブル、光ファイバーケーブル、ＵＴＰケーブル、ＳＴＰケーブルのいずれを用いても他の電子機器との間に通信経路を設定し、１３９４通信を行うことができる。
【００１４】
本発明に係る物理層集積回路は、伝送レートが可変であるデータ通信の方式にて規定されたケーブル、又は上記データ通信の方式とは異なる汎用のケーブルのいずれを用いても他の電子機器との間に通信経路を設定し、上記データ通信の方式によるデータ通信を行うことができる。
【００１５】
【発明の実施の形態】
以下本発明の実施の形態について、図面を参照しながら詳細に説明する。
【００１６】
１３９４通信では  Ｓ１００（９８．３０４Ｍｂｐｓ），Ｓ２００（１９６．６０８Ｍｂｐｓ），Ｓ４００（３９３．２１６Ｍｂｐｓ）のデータレートによる通信が規定されている。まず、光ファイバー及びＵＴＰ及びＳＴＰにおいて３種類のスピードに対応する方法を説明する。
【００１７】
図１に最高データレートがＳ４００の場合のシンボルの配列を示す。この図の（ａ）はデータストリーム上のシンボルの配列を示す。データレートがＳ１００である場合には、（ｂ）に示すように４シンボルのうち１シンボルのみ使用して通信を行なう。Ｓ２００では（ｃ）に示すように２シンボル、Ｓ４００では（ｄ）に示すように全部のシンボルを使用する。これによって１／４倍、１／２倍のデータレートでの通信を可能にする。また、将来的にＳ４００以上のスピードでの通信が新たに規定された場合には、使用するビットの間隔を調節する。この場合、通信するノードが相互に最高のデータレートを承知している必要がある。なお、図１にはデータレートに応じてシンボル（４ビット）毎の使用例を示したが、この他に１ビット単位、２ビット単位、或いはバイト（８ビット）単位、ワ
ド（１６ビット）単位で行うことも可能である。
【００１８】
この方法は図３に示されている１３９４パケット（アイソクロナス又はアシンクロナス）におけるデータエリアに適用できる。この時、送信側・受信側がシンボルを読み取る位置について同期をとる必要があるが、これは以下の方法を実行する。つまり、プリフィクス・エリアでは制御シンボル“ＪＫ”が連続送信されるが、このシンボルＪＫの連続出力が途切れた直後（又は指定のシンボル数以降）よりシンボルの読み取りを開始する旨を通信ノードが双方で承知しておく。シンボル“ＪＫ”はユニークな構成をとっているために、シンボル同期をとるには好都合である。したがって、本実施の形態においては５ビット毎の切り分けがシンボル“ＪＫ”により容易に認識できる。なお、図中のＡｒｂはＡｒｂｉｔｒａｔｉｏｎ，Ｔはシンボル“Ｔ”（Ｅｎｄ）を示す。
【００１９】
次に１３９４通信における伝送レートの伝達方法について説明する。１３９４ケーブルでは、図２（ａ）〜（ｃ）に示すように、ストローブ信号を伝送するケーブル上に流すバイアス信号であるＴｐＢとＴｐＢ＊のレベルを例えば１００〜１２０ｎｓｅｃの間、互いに異なる所定のレベルにすることによってＳ１００，Ｓ２００，Ｓ４００のデータレートを伝達する。
【００２０】
一方、本発明である光ファイバーケーブル又はＵＴＰケーブル又はＳＴＰケーブルを用いた１３９４通信では、制御シンボルを送信する回数によってデータレートを伝達する。図４は本発明に使用するシンボルの一覧を示す。光ファイバーケーブル又はＵＴＰケーブル又はＳＴＰケーブルを用いた１３９４通信では、１３９４通信のデータは４Ｂ／５Ｂコードによって送信する。この４Ｂ／５Ｂコードはデジタルデータ通信に用いられるコーディング方法の規格であり、１００ＭのイーサネットやＦＤＤＩなどにも利用されている。コードとして採用される各シンボルは採用される通信方式によってその利用方法が異なるようになっている。コーディング方法はこれ以外にも多種存在するがそれは後述する。
【００２１】
４Ｂ／５Ｂコードには１６種類の制御のシンボルがあるが、１３９４パケットのプリフィクス・エリアにはシンボル“ＪＫ”を送信し、例えばシンボル“Ｓ”を伝送レートの通知に使用することとする。このとき、１３９４パケットのプリフィクス・エリアにシンボル“Ｓ”を送信する回数によってデータレートを伝達する。例えば、図３に示すようにシンボル“Ｓ”が送信されなければＳ１００、１回送信されればＳ２００、２回送信されればＳ４００とする。この方法は、将来的により早いデータレートが１３９４の規格に加わった場合にも、シンボル“Ｓ”を送信する回数を増やすことで対応が可能である。なお、シンボル“Ｓ”を送信する回数で識別する代わりに、他の所定のシンボル、例えばシンボル“Ｒ”を送信した場合にはＳ４００のように識別してもよい。
【００２２】
また、領域Ｐｒｅｆｉｘ内でのシンボル“ＪＫ”の数は伝送レートによって異なるが、伝送レートの通知に用いるシンボル“Ｓ”はできるだけ前半に入れるのが好ましい。これは、伝送レートの情報はできるだけ早めに認識されることが望まれるからである。ただし、筆頭は“ＪＫ”のシンボルを送信する。理由は前述したようにシンボル同期を取るためである。
【００２３】
なお、ここには４Ｂ／５Ｂコードの例で示したが、ＲＭＩ（Ｒｅｓｔｒｉｃｔｅｄ  Ｍａｒｋ  Ｉｎｖｅｒｓｉｏｎ），ＣＭＩ，ＡＭＩ，ｍＢ／１Ｃ，ｍＢ／ｎＢ，４Ｂ／３Ｔ，２Ｂ１Ｑコードなど、本発明を適用できるコーディングについては、同様に１３９４の制御信号を各コーディング法の制御コードに割り付けることによって実現できる。例えば、８Ｂ／１０Ｂコーディングの例では、制御シンボル（前記“ＪＫ”に対応）として  “Ｄａｔａ−Ｐｒｅｆｉｘ”、伝送レートの通信用シンボル（前記“Ｓ”に対応）として“Ｓｐｅｅｄ”を利用する。使用方法は前述の“ＪＫ”，“Ｓ”と同様である。
【００２４】
また、図５（ａ）に示すように、１３９４通信にはＴｐバイアス信号が存在し、ケーブルにより他のノードと接続されていることを検知するのに利用される。すなわち、データを流すケーブルにおけるバイアス信号であるＴｐＡとＴｐＡ＊をハイレベルに固定することで、Ｔｐバイアスをオンにする。一方、図５（ｂ）に示すように、光ファイバー／ＵＴＰ／ＳＴＰにおいては“Ｑ”以外の制御シンボルを連続送信することでＴｐバイアスをオンにする。そして、シンボル“Ｑ”が来た時にはＴｐバイアスがオフであると判断する。この“Ｑ”は信号がない状態を示しており、例えばコネクタが外れた状態も状態“Ｑ”と同等である。
【００２５】
ところで、Ｔｐバイアスがオフの状態であっても他ノードとの接続を維持するには同期をとることが必要であり、この場合シンボル“Ｑ”が長期間持続する場合は同期の面で問題である。したがって信号変化の激しい制御シンボル、例えば“Ｉ”を利用すれば、ＰＬＬの安定性が保てる優位性がある。なお、ここでいう信号変化が激しいとは、以下の意味である。
【００２６】
すなわち、後述するＭＬＴ−３回路１６及びＮＲＺＩコーディング回路２０ではビット“１”が来る毎に出力レベルを変化するようになっており、シンボル“Ｉ”は図４からみても明らかなように“１１１１１”であるから５ビット分全てに対してレベルが変化する。したがってこのような状態を信号変化が激しいと呼ぶ。よって後述するように不要輻射の影響を受けない光ファイバーの場合は“Ｉ”を利用してもよい。なお、シンボル“Ｉ”（ｉｄｌｉｎｇ）は何もデータが無いときに送るデータであり、同期の維持を主に行うために用いられる。逆にＵＴＰやＳＴＰのように不要輻射の影響を受けやすいケーブルを利用する場合は信号変化の少ない制御シンボルが求められる。
【００２７】
特にＵＴＰ又はＳＴＰにおいては、信号変化の激しい制御シンボル、例えば“Ｉ”の送信時には不要輻射を軽減させる必要があるが、シンボル“Ｉ”の送信が必要な時に、代わりに信号変化の少ない制御シンボル、例えば“Ｈ”を送信することで対応する。ＳＴＰはシールド処理が施されているのでＵＴＰよりは不要輻射の影響を受けにくいが、“Ｈ”を利用するのが望ましい。以上示したように制御シンボル“Ｑ”，“Ｉ”，“Ｈ”にはそれぞれ特徴があり、ケーブルに対応して利用されることが理想的と考えられるが、何れのケーブルにおいても共通の制御シンボルを利用する旨の希望がある場合は、それぞれの特徴や欠点を考慮しながら適宜選択する。
【００２８】
次に本発明を適用した物理層ＬＳＩ（物理層用大規模集積回路）について、ＵＴＰケーブル又はＳＴＰケーブルに対応するもの、ＰＯＦ（プラスチック光ファイバー）ケーブルに対応するもの、これらの両方に対応するものからなる３つの構成例を説明する。
【００２９】
図６に示す物理層ＬＳＩ１はＵＴＰケーブル又はＳＴＰケーブルに対応するものである。この物理層ＬＳＩ１は１３９４ケーブル５のソケット２を接続するポート１４と、ＵＴＰケーブル又はＳＴＰケーブル（以下ＵＴＰ／ＳＴＰケーブルという）６のコネクタ（以下ＵＴＰ／ＳＴＰコネクタという）３を接続するポート１８とを備えている。そして、２つのポートに対応して内部には、１３９４の標準的な処理を行う回路と、前述したＵＴＰ又はＳＴＰ伝送用の処理を行う回路とを備えている。
【００３０】
物理層ＬＳＩ１の内部には、１３９４物理層プロトコルロジック１１が設けられている。この１３９４物理層プロトコルロジック１１は、バスのイニシャライズ、アービトレーション、及び図１〜図５を参照しながら説明した各種処理を実行する。
【００３１】
１３９４物理層プロトコルロジック１１には、送信データのＤＳコーディングと受信データのＤＳデコーディングを行うＤＳコーディング回路１２が接続され、ＤＳコーディング回路１２には、送受信信号のレベル調整等を行うアナログ回路１３が接続されている。この２つの回路は１３９４の標準的な処理を行う回路である。そして、アナログ回路１３はポート１４に接続されており、このポート１４には１３９４ソケット２が接続される。
【００３２】
１３９４物理層プロトコルロジック１１には、送信データの４Ｂ／５Ｂ変換と受信データの５Ｂ／４Ｂ変換を行う４Ｂ／５Ｂ変換回路１５も接続されている。そして、４Ｂ／５Ｂ変換回路１５には、送信データのＭＬＴ（Ｍｕｌｔｉｌｅｖｅｌ  Ｔｒａｎｓｍｉｓｓｉｏｎ）−３符号化と受信データのＭＬＴ−３逆変換を行うＭＬＴ−３回路１６が接続され、さらに送受信信号のレベル調整等を行うアナログ回路１７が接続されている。そして、アナログ回路１７はポート１８に接続されており、このポート１８には絶縁トランス４を介してＵＴＰ／ＳＴＰコネクタ３が接続される。ここで、ＭＬＴ−３回路１６は３値論理に基づく電圧レベル変換を行うもので、ビット“１”が来たらレベルの変化を与える。なお、物理層ＬＳＩ１は１つの集積回路で構成可能だが、図中点線で示した部分を別ＩＣとしてもよい。また、絶縁トランス４は実際にはＵＴＰ／ＳＴＰコネクタ３に内蔵することも可能である。
【００３３】
図７に示す物理層ＬＳＩ３１はＰＯＦケーブルに対応するものである。この物理層ＬＳＩ１は１３９４ケーブル５のソケット２を接続するポート１４と、ＰＯＦケーブル７のコネクタ（以下ＰＯＦコネクタという）３３を接続するポート１９とを備えている。なお、このコネクタは光リンクの機能も兼ね備えており、具体的にはＯ／Ｅ（Ｏｐｔｉｃａｌ／Ｅｌｅｃｔｒｏｎｉｃ）及びＥ／Ｏ変換部を備えて光情報と電気情報の変換を行っている。この物理層ＬＳＩ１は、２つのポートに対応して内部には、１３９４の標準的な処理を行う回路と、前述したＰＯＦケーブル伝送用の処理を行う回路とを備えている。ＰＯＦケーブル伝送を行うためには、ＭＬＴ−３回路の代わりにＮＲＺＩ（Ｎｏｎ−Ｒｅｔｕｒｎ  ｔｏＺｅｒｏ  Ｉｎｖｅｒｔｅｄ  ｏｎ  ｏｎｅｓ）コーディング回路２０を利用する。これはビット“１”が来たら反転するように構成される２値論理回路である。
【００３４】
図８に示す物理層ＬＳＩ４１はＵＴＰケーブル又はＳＴＰケーブル、及びＰＯＦケーブルに対応するものである。この物理層ＬＳＩ１は１３９４ケーブル５のソケット２を接続するポート１４と、ＵＴＰケーブル又はＳＴＰケーブル、及びＰＯＦケーブルの両方を接続できるポート２１を備えている。また、ＵＴＰケーブル又はＳＴＰケーブルの接続時に使用するＭＬＴ−３回路１６と、ＰＯＦケーブル接続時に使用するＮＲＺＩコーディング回路２０の両方を備え、さらにポート２１に接続されているコネクタの種類を検知するコネクタ検知部２２と、コネクタ検知部２２の出力により切り替え制御される第１、第２のスイッチＳＷ１、ＳＷ２を備えている。そして、ポート２１にＵＴＰケーブル又はＳＴＰケーブルが接続されている時には、第１、第２のスイッチＳＷ１、ＳＷ２は共にＭＬＴ−３回路１６の側に切り替わり、ポート２１にＰＯＦケーブルが接続されている時には、第１、第２のスイッチＳＷ１、ＳＷ２は共にＮＲＺＩコーディング回路２０の側に切り替わる。
【００３５】
本発明を適用した物理層ＬＳＩ１，３１，４１は、以上のように構成されているので、ポート１４に１３９４ソケット２を接続した場合には、図５（ａ）に示したようにＴｐＡとＴｐＡ＊をハイレベルに固定することでバイアス信号のオンが伝達され、図２（ａ）〜（ｃ）に示したようにＴｐＢとＴｐＢ＊のレベルによりデータレートの伝達が行われる。
【００３６】
また、ポート１８にＵＴＰ／ＳＴＰコネクタ３を接続した場合、ポート１９にＰＯＦコネクタ３３を接続した場合、及びポート２１にＵＴＰ／ＳＴＰコネクタ３又はＰＯＦコネクタ３３を接続した場合には、図５（ｂ）に示したように“Ｑ”以外のシンボルを送ることでバイアス信号のオンが伝達され、図３に示したように１３９４パケットのプリフィクス・エリアにおいて送信するシンボル“Ｓ”の個数によりデータレートの伝達が行われる。
【００３７】
実際には１３９４物理層プロトコルロジック１１とＤＳコーディング回路１２との間はデータ線とストローブ線があり、４Ｂ／５Ｂ変換回路１５との間にはデータ線と制御線がある。前述のＪＫ，Ｓ，Ｒ等は図３のＰｒｅｆｉｘ領域を利用し制御線にて、Ｑ，Ｉ，Ｈ等はｉｄｌｅ領域を利用し制御線にて送られる。そしてデータはＤａｔａ領域を利用しデータ線にてレートに応じて図１のように送られる。図１で示した「使用しないシンボル（ビット）」は例えばシンボル“０”を送る。なお、使用しないシンボル（ビット）は、データ転送、即ち図３に示すパケットのデータ領域にて転送されるデータとして使用されないという意味であり、これ以外の用途、例えば制御データを送る等の利用は可能である。
【００３８】
通常１３９４では刻々変化するデータレートをＪＫ，Ｓを利用してダイナミックに変化させる。したがって、レートに応じてシンボルの送信時間が異なる。一方、汎用のケーブルを利用した送受信する場合は、図１のようにレートの影響で白地の部分しか取り込めないような形になっている。したがって、最高のレートに合わせたビット配列を考慮する必要がある。
【００３９】
【発明の効果】
以上詳細に説明したように、本発明によれば、光ファイバーケーブルやＵＴＰケーブル及びＳＴＰケーブルを使用して１３９４通信等を実現することができるので、１３９４通信インターフェース等の汎用性を拡大させることが可能となる。
【図面の簡単な説明】
【図１】本発明におけるデータストリーム上のシンボルの配列の一例を示す図である。
【図２】１３９４ケーブルを用いた場合のデータ伝送レートの伝達方法を示す図である。
【図３】本発明におけるデータ伝送レートの伝達方法の一例を示す図である。
【図４】本発明で用いる４Ｂ／５Ｂ符号の一例を示す図である。
【図５】１３９４ケーブルを用いた場合のＴｐバイアスの実現方法と本発明におけるＴｐバイアスの実現方法の一例を示す図である。
【図６】本発明を適用した物理層ＬＳＩの構成を示すブロック図である。
【図７】本発明を適用した物理層ＬＳＩの別の構成を示すブロック図である。
【図８】本発明を適用した物理層ＬＳＩのさらに別の構成を示すブロック図である。
【符号の説明】
１，３１，４１…物理層ＬＳＩ、５…１３９４ケーブル、６…ＵＴＰ／ＳＴＰケーブル、７…ＰＯＦケーブル、１４，１８，１９，２１…端子。
【図１】
0003783363.tif 000002
【図２】
0003783363.tif 000003
【図３】
0003783363.tif 000004
【図４】
0003783363.tif 000005
【図５】
0003783363.tif 000006
【図６】
0003783363.tif 000007
【図７】
0003783363.tif 000008
【図８】
0003783363.tif 000009